(57)【要約】【課題】メモリタグ（記憶手段）が故障しているカートリッジ（交換ユニット）を装着した場合にも、フェイルセーフとしての画像形成動作を可能とする画像形成装置を提供する。【解決手段】画像形成装置は、交換ユニットの記憶手段が故障か否かを判定する故障判定手段と、故障判定手段により記憶手段が故障であると判断された場合、画像調整を実施する画像調整手段とを備える。故障判定手段及び画像調整手段は、コントローラ１７がその機能を果たす。【選択図】図６
2008139678.tif 000002
【特許請求の範囲】
【請求項１】
情報を記憶する記憶手段を備える交換ユニットを着脱自在に設ける画像形成装置において、
前記記憶手段が故障か否かを判定する故障判定手段と、
前記故障判定手段により前記記憶手段が故障であると判断された場合、画像調整を実施する画像調整手段と、
を備えることを特徴とする画像形成装置。
【請求項２】
情報を記憶する記憶手段を備える交換ユニットを着脱自在に設ける画像形成装置において、
前記記憶手段が故障か否かを判定する故障判定手段と、
前記故障判定手段により前記記憶手段が故障であると判断された場合、画像調整を促す画像調整報知手段と、
を備えることを特徴とする画像形成装置。
【請求項３】
前記画像調整手段は、画像濃度が段階的に変位する所定の検査パターン画像を感光体に形成する際に設定される複数の異なる画像形成条件の設定後に、記録媒体上に形成された前記検査パターン画像の読み取り結果に基づいて前記画像形成条件を補正する
ことを特徴とする請求項１または２記載の画像形成装置。
【請求項４】
前記故障判定手段は、前記記憶手段が通信可能か否か、データが文字化けしている否かを判断することを特徴とする請求項１または２記載の画像形成装置。
【請求項５】
情報を記憶する記憶手段を備える交換ユニットを着脱自在に設ける画像形成装置の制御方法において、
前記記憶手段が故障か否かを判定する故障判定ステップと、
前記故障判定ステップにより前記記憶手段が故障であると判断された場合、画像調整を実施する画像調整ステップと、
を備えることを特徴とする画像形成装置の制御方法。
【請求項６】
情報を記憶する記憶手段を備える交換ユニットを着脱自在に設ける画像形成装置の制御方法において、
前記記憶手段が故障か否かを判定する故障判定ステップと、
前記故障判定ステップにより前記記憶手段が故障であると判断された場合、画像調整を促す画像調整報知ステップと、
を備えることを特徴とする画像形成装置の制御方法。
【発明の詳細な説明】
【技術分野】
【０００１】
本発明は、電子写真方式を利用して記録材に画像形成を行う複写機、プリンタ等の画像形成装置及びその制御方法、並びにプログラム及び記憶媒体に関する。 
【背景技術】
【０００２】
従来、複写機、ＦＡＸ、プリンタ等の画像形成装置においては、トナーまたは現像材を装置本体から着脱可能なカートリッジ（交換可能なユニット）内に充填し、このカートリッジを画像形成装置に装着することにより、トナーまたは現像材を画像形成装置に供給している。そして、カートリッジ内のトナーや現像材が無くなった場合に、カートリッジを新しいものと交換することで画像形成装置にトナーまたは現像材を補給している。
【０００３】
近年、カートリッジが新しいものに交換されたことや、トナーまたは現像材が無くなったことを検知する手段として、カートリッジにメモリタグ（記憶手段）を備えるものがある。メモリタグにカートリッジ識別情報、寿命情報、画像プロセス情報等を記憶させることで、常にカートリッジの最新状態を把握し、最適な画像形成を可能としている（例えば、特許文献１、２参照）。
【特許文献１】特開２００４―０９３６９３号公報
【特許文献２】特開２００５―１０７１１３号公報
【発明の開示】
【発明が解決しようとする課題】
【０００４】
しかしながら、上記従来技術では、何らかの原因でメモリタグが故障している場合、フェイルセーフとして画像形成動作を行うことができない。そのため、ユーザは再度カートリッジの調達が必要となり、著しい作業効率の低下を招く可能性がある。
【０００５】
本発明の目的は、装着したカートリッジ（交換可能なユニット）のメモリタグ（記憶手段）が故障している場合にも、フェイルセーフとしての画像形成動作を可能とする画像形成装置及びその制御方法を提供することにある。
【課題を解決するための手段】
【０００６】
上記目的を達成するために、請求項１記載の画像形成装置は、情報を記憶する記憶手段を備える交換ユニットを着脱自在に設ける画像形成装置において、前記記憶手段が故障か否かを判定する故障判定手段と、前記故障判定手段により前記記憶手段が故障であると判断された場合、画像調整を実施する画像調整手段とを備えることを特徴とする。
【０００７】
請求項２記載の画像形成装置は、情報を記憶する記憶手段を備える交換ユニットを着脱自在に設ける画像形成装置において、前記記憶手段が故障か否かを判定する故障判定手段と、前記故障判定手段により前記記憶手段が故障であると判断された場合、画像調整を促す画像調整報知手段とを備えることを特徴とする。
【０００８】
請求項５記載の画像形成装置の制御方法は、情報を記憶する記憶手段を備える交換ユニットを着脱自在に設ける画像形成装置の制御方法において、前記記憶手段が故障か否かを判定する故障判定ステップと、前記故障判定ステップにより前記記憶手段が故障であると判断された場合、画像調整を実施する画像調整ステップとを備えることを特徴とする。
【０００９】
請求項６記載の画像形成装置の制御方法は、情報を記憶する記憶手段を備える交換ユニットを着脱自在に設ける画像形成装置の制御方法において、前記記憶手段が故障か否かを判定する故障判定ステップと、前記故障判定ステップにより前記記憶手段が故障であると判断された場合、画像調整を促す画像調整報知ステップとを備えることを特徴とする。
【発明の効果】
【００１０】
本発明の画像形成装置は、交換ユニットの記憶手段が故障か否かを判定する故障判定手段と、故障判定手段により記憶手段が故障であると判断された場合、画像調整を実施する画像調整手段とを備える。
【００１１】
また、本発明の画像形成装置は、交換ユニットの記憶手段が故障か否かを判定する故障判定手段と、故障判定手段により前記記憶手段が故障であると判断された場合、画像調整を促す画像調整報知手段とを備える。
【００１２】
従って、メモリタグが故障しているカートリッジを装着した場合にも、フェイルセーフとしての画像形成動作が可能となる。
【発明を実施するための最良の形態】
【００１３】
以下、本発明の実施の形態を図面を参照しながら詳細に説明する。
【００１４】
図１は、本発明の実施の形態に係る画像形成装置の主要部の構成を概略的に示す図である。
【００１５】
図１において、原稿の照明装置１は、例えばハロゲンランプを備えた走査体を備え、走査体の移動に従って原稿を照明する。光学系２は、ＣＣＤ等の画像読み取りセンサ３に原稿画像を投影する。画像読み取りセンサ３は、本実施の形態では４００乃至６００ＤＰＩの解像度で画像を読み取り、例えば８ビットのディジタル画像信号に変換する。すなわち、画像を２５６階調で読み取り可能に構成されている。
【００１６】
ルックアップテーブル（ＬＵＴ）４は、読み取られた画像信号と出力画像信号を変換する。レーザドライバ回路５は、ディジタル画像信号に応じて半導体レーザユニット６を駆動する。半導体レーザユニット６の半導体レーザから発振されたレーザ光は、回転多面反射鏡７で偏向され、ミラー８を介して感光ドラム９に照射される。
【００１７】
電子写真方式の画像形成部１０は、現像装置１１、定着装置１２等を備えている。画像信号発生装置１３は、任意の画像信号を任意のパターンで発生可能に構成されている。現像バイアス電源１４は現像バイアスを出力する。８ビットのＤ／Ａコンバータ１５は現像バイアス電源１４の出力値を制御する。
【００１８】
一次帯電器で１６は、感光ドラム９の表面を一様帯電させる。コントローラ１７は、ＣＰＵ、ＲＯＭ、ＲＡＭを備え、画像形成シーケンス及び画像形成条件設定シーケンスを総括的に制御する。
【００１９】
図２は、本発明の実施の形態に係る画像形成装置の制御ブロックを概略的に示す図である。
【００２０】
画像形成装置１００は、ＣＰＵ１０１の他、図示の構成を備えている。以下、その構成を動作と併せて説明する。
【００２１】
ＣＰＵ１０１は、制御プログラムが書き込まれたＲＯＭ１０２、処理を行うためのワークＲＡＭ１０３、入出力ポート１０４とアドレスバス、データバスにより接続されている。入出力ポート１０４には、画像形成装置１００を制御する、モータ、クラッチ等の各種負荷（不図示）や、用紙（記録媒体）の位置を検知するセンサ等の入力（不図示）が接続されている。
【００２２】
ここで、ＣＰＵ１０１、ＲＯＭ１０２、ＲＡＭ１０３は、図１のコントローラ１７を構成する。
【００２３】
ＣＰＵ１０１は、ＲＯＭ１２の内容に従って入出力ポート１０４を介して順次入出力の制御を行い、画像形成動作を実行する。また、ＣＰＵ０１には操作部１０５が接続されており、操作部１０５の表示手段、キー入力手段を制御する。
【００２４】
操作者は、キー入力手段を通して、画像形成動作モードや、表示の切り替えをＣＰＵ１０１に指示し、ＣＰＵ１０１は画像形成装置１００の状態や、キー入力による動作モード設定の表示を行う。
【００２５】
ＣＰＵ１０１には、リーダ部１０６で電気信号に変換された信号を処理する画像処理部１０７と、処理された画像を蓄積する画像メモリ部１０８が接続されている。また、画像メモリ部１０８にはプリンタ部１０９が接続される。
【００２６】
本実施の形態における画像形成条件として、先ず暗部電位は、一次帯電器１６により感光ドラム９の表面電位を−７００Ｖに一様帯電させる。半導体レーザユニット６による露光は、画像部電位が、ＦＦｈのデータが−２００Ｖになるように条件を調整してある。
【００２７】
この時の現像バイアスのＤ／Ａ変換される前のディジタル値は８０ｈであった。この現象バイアスのディジタル値は、５Ｖ／１ビット（ｂｉｔ）であるが、電源トランスの仕様上、０Ｖ〜−９００Ｖまでの間を制御できるように構成されている。
【００２８】
このように構成された画像形成装置において、画像信号発生装置１３が発生した検査パターン画像信号に基づいて、半導体レーザユニット６が感光ドラム９上に検査パターン画像を形成する。
【００２９】
その際に、コントローラ１７が複数の異なる画像形成条件を設定した後、用紙上に形成された検査パターン画像を画像読み取りセンサ３で読み取り、コントローラ１７がこの読み取りデータから設定されている画像形成条件を補正する。
【００３０】
このように、異なる画像形成条件に対応した検査パターン画像を読み取るため、所定の検査パターン画像読み取りでは解析できない複合的画像形成条件に起因した画像形成状態を容易に把握することができる。従って、設定されている画像形成条件を最適な状態に短時間で補正することが可能となる。
【００３１】
また、コントローラ１７は、現像装置１１の現像バイアスを決定する現像バイアス電源１４の電位を変化させて異なる画像形成条件を設定する。従って、所定の検査パターン画像読み取りでは解析できにくい現像バイアスの設定状態に起因した画像形成状態を把握することが可能となる。
【００３２】
さらに、コントローラ１７は、感光ドラム９の帯電電位と現像装置１１の現像バイアスとを変化させて異なる画像形成条件を設定する。従って、所定の検査パターン画像読み取りでは解析できにくい現像バイアスと感光ドラム９の帯電電位との設定状態に起因した画像形成状態を把握することが可能となる。
【００３３】
また、コントローラ１７は、ＬＵＴ４を変化させて異なる画像形成条件を設定するので、所定の検査パターン画像読み取りでは解析できにくいＬＵＴ４の設定状態に起因した画像形成状態を把握することが可能となる。
【００３４】
さらに、コントローラ１７は、ＬＵＴ４と現像装置１１の現像バイアスとを変化させて異なる画像形成条件を設定する。従って、所定の検査パターン画像読み取りでは解析できにくいＬＵＴ４の設定状態と現像バイアスの設定状態とに起因した画像形成状態を把握することが可能となる。
【００３５】
また、コントローラ１７は、ＬＵＴ４と現像装置１１の現像バイアスと感光ドラム９の帯電電位とを変化させて異なる画像形成条件を設定する。従って、所定の検査パターン画像読み取りでは解析できにくいＬＵＴ４の設定状態と現像バイアスの設定状態と感光ドラム９の帯電電位の設定状態とに起因した画像形成状態を把握することが可能となる。
【００３６】
さらに、コントローラ１７は、半導体レーザユニット６の光ビームの発光光量を変化させて異なる画像形成条件を設定する。従って、所定の検査パターン画像読み取りでは解析できにくい半導体レーザユニット６の光ビームの発光光量の設定状態に起因した画像形成状態を把握することが可能となる。
【００３７】
また、コントローラ１７は、ＬＵＴ４と半導体レーザユニット６の光ビームの発光光量とを変化させて異なる画像形成条件を設定する。従って、所定の検査パターン画像読み取りでは解析できにくい半導体レーザユニット６の光ビームの発光光量の設定状態とＬＵＴ４の設定状態とに起因した画像形成状態を把握することが可能となる。
【００３８】
さらに、コントローラ１７は、ＬＵＴ４と現像装置１１の現像バイアスと感光ドラム９の帯電電位と書込み手段の光ビームの発光光量とを変化させて異なる画像形成条件を設定する。従って、所定の検査パターン画像読み取りでは解析できにくい半導体レーザユニット６の光ビームの発光光量の設定状態と現像装置１１の現像バイアスの設定状態とＬＵＴ４の設定状態とに起因した画像形成状態を把握することが可能となる。同様に、感光ドラム９の帯電電位の設定状態に起因した画像形成状態を把握することが可能となる。
【００３９】
尚、本実施の形態では、画像書き込み手段を半導体レーザユニット６で構成する場合を示したが、液晶シャッタまたはＬＥＤヘッド等で画像書き込み手段を構成する画像形成装置にも適用できる。さらに、出力画像信号の階調制御は、本実施の形態ではパルス幅変調制御方式における面積階調制御としているが、他の方式であってもよい。
【００４０】
図３は、図１における画像信号発生装置が発生可能な第１の検査パターン画像の一例を示す図である。
【００４１】
図３において、検査パターン画像は３段階に分かれており、それぞれ白、黒、３種類のハーフトーンから構成されている。尚、本実施の形態の装置は、画像データを８ビットのデータで記憶している。画像信号としては、００ｈ〜ＦＦｈまで、２５５階調ということになる。前記の検査パターンにおけるハーフトーンは、そのうち４０ｈ、８０ｈ、Ｃ０ｈである。
【００４２】
尚、本実施の形態で３段階にパターンが分かれているのは、それぞれ現像バイアス値（ＤＣ値）が違うためであり、それぞれのディジタル値は、７６ｈ（−５５０Ｖ）、８０ｈ（−６００Ｖ）、８Ａｈ（−６５０Ｖ）である。
【００４３】
次に、出力された検査パターン画像を図２に示すリーダ部１０６の所定位置に載置し、画像読み取りを開始すると、図４に示すような読み取り結果が得られる。
【００４４】
図５は、図２における操作部のレイアウトを示す図である。
【００４５】
図５において、複写動作、システム動作の各機能の設定を行うために操作部１０５の表示を切り替えるためのキー及びＬＥＤ表示６０４乃至６１２がある。キー６０４、６０７、６１０はそれぞれ、各機能を切り替えるキーになっている。このキーは半透明のキーボタンで構成されており、キーの内部にはＬＥＤ等の表示ランプ（不図示）がある。
【００４６】
これらのキーを押下することで、操作画面を選択するとキー内部のランプが点灯する。各キーの内部のこのランプは選択されている操作機能画面のキーの内部にあるランプのみ点灯制御され、その他のキーの内部のランプは消灯するように制御される。また、各キーの右にはグリーンのＬＥＤ６０６、６０９、６１２が配置され、このＬＥＤは、各機能の動作状況をＬＥＤの点灯制御で表している。
【００４７】
例えば、コピーのＬＥＤ６０６はコピーがスタンバイ中では消灯制御され、図５の例のように、コピーが出力動作中の場合は点滅制御される。また、画像メモリのハードディスクにコピーの画像が保存され、コピーのプリント動作が行われていない場合には、点灯制御される。
【００４８】
各キーの左にはレッドのＬＥＤ６０５、６０８、６１１が配置され、このＬＥＤは、各機能の異常状況が発生したことを点灯制御で表している。例えば、コピーのＬＥＤ６０５はコピーが、用紙なし中断やジャム等の異常が発生した時、ＬＥＤ６０５は点滅制御される。
【００４９】
この時、コピー機能キー６０４を押下し、操作部１０５の表示をコピーに切り替えることで、表示パネル６２０にコピーの状況が表示され、異常状況の詳細を確認することができる。これらの機能切り替えキーは、各機能の動作状況によらず、いつでも押下可能である。
【００５０】
図６は、図２の画像形成装置によって実行されるカートリッジ装着処理の手順を示すフローチャートである（その１）。
【００５１】
本処理は、図２におけるコントローラ１７によって実行される。交換ユニットとしてのカートリッジ（例えばドラムカートリッジ）は記憶手段としてのメモリタグ付きであることが前提となる。
【００５２】
図７において、ドア（不図示）が閉められると、カートリッジが装着されたとみなされ、本処理がスタートする。本体（画像形成装置１００）とカートリッジのメモリタグは通信を行い、通信可能か否か判断する（ステップＳ６０１）（故障判定手段）。
【００５３】
次に、故障していないメモリタグが取り付けられており、ステップＳ６０１で通信が可能と判断された場合、メモリタグの内容がデータ化けであるか否かを判断する（ステップＳ６０２）（故障判定手段）。ここでステップＳ６０２ではメモリタグに記憶された識別情報とＲＯＭ１０２に記憶された識別情報を比較する。データ化けでないと判断された場合、メモリタグの情報内容をＲＡＭ１０３に保持して（ステップＳ６０３）、本処理を終了する。
【００５４】
故障しているメモリタグが取り付けられており、ステップＳ６０１で通信が不可能であると判断された場合、予めＲＯＭ１０２に保持しているデフォルトのプロセス情報をＲＡＭ１０３に記憶する（ステップＳ６０４）。このプロセス情報を基に階調補正を実施し（ステップＳ６０５）（画像調整手段）、階調補正の結果からプロセス情報をＲＡＭ１０３に反映させる。
【００５５】
また、通信可能であるがデータ化けしているメモリタグ付属のカートリッジが装着された際について説明する。ドア（不図示）が閉められると、ステップＳ６０１で通信が可能と判断される。次にステップＳ６０２ではデータ化けと判断され、予めＲＯＭ１０２に保持しているデフォルトのプロセス情報をＲＡＭ１０３に記憶する（ステップＳ７０４）。このプロセス情報を基に階調補正を実施し（ステップＳ６０５）、階調補正の結果からプロセス情報をＲＡＭ１０３に反映させる。
【００５６】
これら一連のフローによりカートリッジのメモリタグが故障していても、予めＲＯＭ１０４に保持しているデフォルトのプロセス情報を用いて階調補正を実施することで、適切な条件の下で画像形成が可能となる。
【００５７】
図７は、図２の画像形成装置によって実行されるカートリッジ装着処理の手順を示すフローチャートである（その２）。
【００５８】
本処理は、図２におけるコントローラ１７によって実行される。カートリッジ（例えばドラムカートリッジ）はメモリタグ付きであることが前提となる。
【００５９】
図７において、ドア（不図示）が閉められると、カートリッジが装着されたとみなされ、本処理がスタートする。本体（画像形成装置１００）とカートリッジのメモリタグは通信を行い、通信可能か否か判断する（ステップＳ７０１）（故障判定手段）。
【００６０】
次に、故障していないメモリタグが取り付けられており、ステップＳ７０１で通信が可能と判断された場合、メモリタグの内容がデータ化けであるか否かを判断する（ステップＳ７０２）（故障判定手段）。ここでステップＳ７０２ではメモリタグに記憶された識別情報とＲＯＭ１０２に記憶された識別情報を比較する。データ化けでないと判断された場合、メモリタグの情報内容をＲＡＭ１０３に保持して（ステップＳ７０３）、本処理を終了する。
【００６１】
故障しているメモリタグが取り付けられており、ステップＳ７０１で通信が不可能であると判断された場合、予めＲＯＭ１０２に保持しているデフォルトのプロセス情報をＲＡＭ１０３に記憶する（ステップＳ７０４）。
【００６２】
そして、表示パネル６２０に、図８に示す階調補正を促すメッセージを出す（ステップＳ７０５）（画像調整報知手段）。ユーザは必要に応じて自動階調補正を実施し（ステップＳ７０６）、階調補正の結果からプロセス情報をＲＡＭ１０３に反映させる。
【００６３】
また、通信可能であるがデータ化けしているメモリタグ付属のカートリッジが装着された際について説明する。ドア（不図示）が閉められると、ステップＳ７０１で通信が可能と判断される。次にステップＳ７０２ではデータ化けと判断され、予めＲＯＭ１０２に保持しているデフォルトのプロセス情報をＲＡＭ１０３に記憶する（ステップＳ７０４）。
【００６４】
そして、表示パネル６２０に、図８に示す階調補正を促すメッセージを出す（ステップＳ７０５）。ユーザは必要に応じて自動階調補正を実施し（ステップＳ７０６）、階調補正の結果からプロセス情報をＲＡＭ１０３に反映させる。
【００６５】
これら一連のフローにより、カートリッジのメモリタグが故障していても、予め本ＲＯＭ１０２に保持しているデフォルトのプロセス情報を用いて、ユーザに階調補正を促し、適切な条件の下で画像形成が可能となる。
【００６６】
また、本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【００６７】
この場合、記憶媒体から読み出されたプログラムコード自体が前述した実施の形態の機能を実現することになり、そのプログラムコード及び該プログラムコードを記憶した記憶媒体は本発明を構成することになる。
【００６８】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００６９】
また、コンピュータが読み出したプログラムコードを実行することにより、上記実施の形態の機能が実現される場合も本発明に含まれる。加えて、そのプログラムコードの指示に基づき、コンピュータ上で稼動しているＯステップＳ（オペレーティングシステム）等が実際の処理の一部または全部を行い、その処理によって前述した実施形態の機能が実現される場合も含まれる。
【００７０】
更に、前述した実施形態の機能が以下の処理によって実現される場合も本発明に含まれる。即ち、記憶媒体から読み出されたプログラムコードが、コンピュータに装着された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【００７１】
【図１】本発明の実施の形態に係る画像形成装置の主要部の構成を概略的に示す図である。
【図２】本発明の実施の形態に係る画像形成装置の制御ブロックを概略的に示す図である。
【図３】図１における画像信号発生装置が発生可能な第１の検査パターン画像の一例を示す図である。
【図４】図４の第１の検査パターン画像の画像濃度データを示す図である。
【図５】図２における操作部のレイアウトを示す図である。
【図６】図２の画像形成装置によって実行されるカートリッジ装着処理の手順を示すフローチャートである（その１）。
【図７】図２の画像形成装置によって実行されるカートリッジ装着処理の手順を示すフローチャートである（その２）。
【図８】図７のフローチャートにおける階調補正を促すメッセージを示す図である。
【符号の説明】
【００７２】
１７  コントローラ
１０２  ＲＯＭ
１０３  ＲＡＭ
【図１】
2008139678.tif 000003
【図２】
2008139678.tif 000004
【図３】
2008139678.tif 000005
【図４】
2008139678.tif 000006
【図５】
2008139678.tif 000007
【図６】
2008139678.tif 000008
【図７】
2008139678.tif 000009
【図８】
2008139678.tif 000010